(57)【特許請求の範囲】
【請求項１】
正浸透膜を有し、一次側に供給される被処理水と、二次側に供給されるドロー液と、の浸透圧の差によって、一次側から前記正浸透膜を介して二次側に水を移動させて前記ドロー液を希釈ドロー液にする正浸透膜モジュールと、
前記正浸透膜モジュールの二次側から供給される希釈ドロー液に貧溶媒を添加して、ドロー液の塩を析出させる貧溶媒反応部と、
前記貧溶媒反応部において析出したドロー液の塩と、貧溶媒が水で希釈されてなる希釈貧溶媒と、を含む混合液からドロー液の塩を分離する分離部と、
前記分離部によって分離されたドロー液の塩と、前記正浸透膜モジュールの二次側から供給される希釈ドロー液と、を混合してなるドロー液を、前記正浸透膜モジュールの二次側に戻すドロー液供給部と、
前記分離部から供給される希釈貧溶媒から貧溶媒を分離して淡水を得るとともに、分離した貧溶媒を前記貧溶媒反応部に戻す貧溶媒回収部と、を備えること
を特徴とする淡水化システム。
【請求項２】
前記貧溶媒反応部において添加される貧溶媒の沸点は水よりも低く、
前記貧溶媒回収部は、前記分離部から供給される希釈貧溶媒を加熱及び／又は減圧することによって、希釈貧溶媒から貧溶媒を分離して淡水を得ること
を特徴とする請求項１に記載の淡水化システム。
【請求項３】
前記貧溶媒回収部は、前記分離部から供給される希釈貧溶媒を膜濾過することによって、希釈貧溶媒から貧溶媒を分離して淡水を得ること
を特徴とする請求項１に記載の淡水化システム。
【請求項４】
正浸透膜を有する正浸透膜モジュールの一次側に供給される被処理水と、二次側に供給されるドロー液と、の浸透圧の差によって、一次側から前記正浸透膜を介して二次側に水を移動させて前記ドロー液を希釈ドロー液にする正浸透工程と、
前記正浸透膜モジュールの二次側から供給される希釈ドロー液に貧溶媒を添加して、ドロー液の塩を析出させる貧溶媒反応工程と、
前記貧溶媒反応工程において析出したドロー液の塩と、貧溶媒が水で希釈されてなる希釈貧溶媒と、を含む混合液からドロー液の塩を分離する分離工程と、
前記分離工程によって分離されたドロー液の塩と、前記正浸透膜モジュールの二次側から供給される希釈ドロー液と、を混合してなるドロー液を、前記正浸透膜モジュールの二次側に戻すドロー液供給工程と、
前記分離工程によって抽出される希釈貧溶媒から貧溶媒を分離して淡水を得るとともに、分離した貧溶媒を前記貧溶媒反応工程に用いる貧溶媒回収工程と、を含むこと
を特徴とする淡水化方法。
【発明の詳細な説明】
【技術分野】
【０００１】
本発明は、正浸透膜を用いて被処理水を淡水化する淡水化システム等に関する。
【背景技術】
【０００２】
近年、世界的な気候変動や水不足の影響によって水のニーズが高まりつつあり、市場規模の拡大が見込まれている。特に、浸透圧の差を利用して、一次側の被処理水から正浸透膜を介して二次側に水を流入させる淡水化システムが注目されている。
【０００３】
このような正浸透を利用する淡水化システムでは、逆浸透処理を行う淡水化システムのように被処理水を高圧で圧送する必要がないため、高圧ポンプや高耐圧の配管を設ける必要がなく、設備費用や電力コストが安価になるという利点がある。
【０００４】
また、正浸透を利用する淡水化システムでは、正浸透膜の面方向において透過流束（Ｆｌｕｘ）が略均一になる。したがって、透過流束の平均値（平均Ｆｌｕｘ）を高く設定できるとともに、正浸透膜を長期間に亘って使用できるという利点もある。このような正浸透を利用する技術として、例えば、以下に示すものが知られている。
【０００５】
すなわち、特許文献１には、被処理水に含まれる水を半透膜を介して誘導溶液に移動させる順浸透工程と、水で希釈された誘導溶液が疎水性化するまで加温する加温工程と、疎水性化した物質を分離する固液分離工程と、分離された物質が親水性化するまで冷却して誘導溶液を再生する冷却工程と、を含む水処理方法について記載されている。
【先行技術文献】
【特許文献】
【０００６】
【特許文献１】特開２０１４−１００６９２号公報
【発明の概要】
【発明が解決しようとする課題】
【０００７】
特許文献１に記載の技術では、前記した固液分離工程において、疎水性化した物質を膜濾過することで淡水を取り出している。このような方法でも淡水を取り出すことが可能ではあるが、例えば、飲み水として使用できるような純度の高い淡水を、小さなエネルギで取り出す淡水化システムが求められている。
【０００８】
そこで、本発明は、小さなエネルギで容易に淡水を取り出す淡水化システム等を提供することを課題とする。
【課題を解決するための手段】
【０００９】
前記課題を解決するために、本発明に係る淡水化システムは、正浸透膜を有し、一次側に供給される被処理水と、二次側に供給されるドロー液と、の浸透圧の差によって、一次側から前記正浸透膜を介して二次側に水を移動させて前記ドロー液を希釈ドロー液にする正浸透膜モジュールと、前記正浸透膜モジュールの二次側から供給される希釈ドロー液に貧溶媒を添加して、ドロー液の塩を析出させる貧溶媒反応部と、前記貧溶媒反応部において析出したドロー液の塩と、貧溶媒が水で希釈されてなる希釈貧溶媒と、を含む混合液からドロー液の塩を分離する分離部と、前記分離部によって分離されたドロー液の塩と、前記正浸透膜モジュールの二次側から供給される希釈ドロー液と、を混合してなるドロー液を、前記正浸透膜モジュールの二次側に戻すドロー液供給部と、前記分離部から供給される希釈貧溶媒から貧溶媒を分離して淡水を得るとともに、分離した貧溶媒を前記貧溶媒反応部に戻す貧溶媒回収部と、を備えることを特徴とする。
【発明の効果】
【００１０】
本発明によれば、小さなエネルギで容易に淡水を取り出す淡水化システム等を提供できる。
【図面の簡単な説明】
【００１１】
【図１】本発明の一実施形態に係る淡水化システムの構成図である。
【発明を実施するための形態】
【００１２】
≪実施形態≫
＜淡水化システムの構成＞
図１は、本実施形態に係る淡水化システムＳの構成図である。
淡水化システムＳは、正浸透膜モジュール１０の一次側１ａに供給される被処理水から、正浸透膜１２を介して二次側１ｂのドロー液に水を移動させ、水で希釈されたドロー液から淡水を得るシステムである。
なお、被処理水として、海水、工業排水、下水、海水淡水化で得られる濃縮水（塩分濃度の比較的高い海水）、天然ガスや石油の採掘に伴う随伴水等が挙げられる。
【００１３】
図１に示すように、淡水化システムＳは、正浸透膜モジュール１０と、貧溶媒反応部２０と、分離部３０と、ドロー液供給部４０と、貧溶媒回収部５０と、を備えている。
【００１４】
正浸透膜モジュール１０は、容器１１と、この容器１１を一次側１ａと二次側１ｂとに仕切る正浸透膜１２と、を備えている。容器１１は、一次側１ａに供給される被処理水と、二次側１ｂに供給されるドロー液と、を一時的に貯留するものである。なお、容器１１は、箱状であってもよいし、円筒状であってもよい。正浸透膜１２は、被処理水から水を選択的に透過させる半透膜であり、容器１１に設置されている。正浸透膜１２として、例えば、三酢酸セルロースやポリアミドを用いることができるが、これに限定されない。
【００１５】
正浸透膜モジュール１０の一次側１ａには配管ｋ１を介して被処理水が供給され、二次側１ｂには配管ｋ２を介して、被処理水よりも浸透圧が高いドロー液が供給される。そして、一次側１ａの被処理水に含まれる水が、浸透圧の差によって二次側１ｂに移動する（つまり、正浸透膜１２によって被処理水が濾過される）ようになっている。
【００１６】
二次側１ｂのドロー液は、無機化合物である塩（例えば、硫酸ナトリウム）を水に溶解させた高濃度の水溶液である。二次側１ｂのドロー液は、所定の使用温度・使用圧力下において、その浸透圧（濃度）が被処理水よりも高くなっている。
【００１７】
ドロー液の塩として、前記したように、硫酸ナトリウムを用いることができるが、これに限定されない。すなわち、ドロー液の塩として、例えば、塩化ナトリウム、塩化カリウム、塩化カルシウム、臭化カリウム、臭化ナトリウム、硝酸アンモニウム、硝酸カリウム、水酸化カリウム、炭酸カリウム、炭酸水素カリウム、炭酸ナトリウム、チオ硫酸ナトリウム、ヨウ化カリウム、ヨウ化ナトリウム、硫酸アンモニウム、硫酸マグネシウム、リン酸二水素ナトリウム、リン酸三ナトリウムを用いることができる。また、前記した塩のうち複数を混合してもよい。
【００１８】
なお、被処理水が海水（例えば、塩分濃度３．５％）である場合、０℃〜６５℃において浸透圧が５［ＭＰａ］以上、より好ましくは１０［ＭＰａ］以上のドロー液を正浸透膜モジュール１０の二次側１ｂに供給することが好ましい。これによって、被処理水の浸透圧よりもドロー液の浸透圧を充分に高くすることができ、所定の透過流束（Ｆｌｕｘ）の水が一次側１ａから二次側１ｂに移動するからである。
同様に、被処理水が下水である場合、０℃〜６５℃において浸透圧が０．３［ＭＰａ］以上、より好ましくは１［ＭＰａ］以上のドロー液を正浸透膜モジュール１０の二次側１ｂに供給することが好ましい。
【００１９】
一次側１ａの被処理水に含まれる水が正浸透膜１２を介して二次側１ｂに移動すると（正浸透工程）、一次側１ａでは被処理水が濃縮され、二次側１ｂではドロー液が希釈される。
一次側１ａにおいて濃縮された被処理水（濃縮水）は、配管ｋ３を介して排出される。二次側１ｂで希釈されたドロー液は、ポンプ６１の駆動によって、配管ｋ４を介して貧溶媒反応部２０に供給されるとともに、配管ｋ４（一部）及び配管ｋ５を介してドロー液供給部４０に供給される。以下では、二次側１ｂで希釈されたドロー液を「希釈ドロー液」と記す。
【００２０】
貧溶媒反応部２０は、正浸透膜モジュール１０の二次側１ｂから供給される希釈ドロー液に貧溶媒を添加して、ドロー液の塩を析出させる機能を有している（貧溶媒反応工程）。このように本実施形態では、貧溶媒によって塩を析出させる「貧溶媒添加法」を用いている。
【００２１】
貧溶媒反応部２０は、希釈ドロー液、貧溶媒、及び、析出した塩を含む混合液を一時的に貯留する第一貯留槽２１を備えている。なお、前記した混合液を撹拌する撹拌機（図示せず）を、第一貯留槽２１に設置してもよい。第一貯留槽２１には、正浸透膜モジュール１０の二次側１ｂから配管ｋ４を介して希釈ドロー液が供給されるとともに、後記する貧溶媒回収部５０から配管ｋ９を介して貧溶媒が供給される。
【００２２】
貧溶媒は、ドロー液の塩（例えば、硫酸ナトリウム）に対する溶解度が低い溶媒である。なお、貧溶媒として、水への溶解度が高く、また、水よりも沸点が低い（水と分離しやすい）ものを用いることが好ましい。これは、後記する貧溶媒回収部５０において、水と貧溶媒との沸点の違いを利用して両者を分離するためである。
【００２３】
貧溶媒として、例えば、エタノールを用いることができるが、これに限定されない。すなわち、ドロー液の塩の種類に応じて、この塩を析出しやすくする有機溶媒を適宜選択すればよい。
貧溶媒として、エタノールの他にも、例えば、メチルアミン、ジメチルアミン、トリメチルアミン、エチルアミン、アセトアルデヒド、ギ酸メチル、イソプロピルアミン、酸化プロピレン、ジメトキシメタン、ｔｅｒｔ−ブチルアミン、プロピオンアルデヒド、ｎ−プロピルアミン、アリルアミン、ジエチルアミン、アセトン、ｓｅｃ−ブチルアミン、エタノールアミン、酢酸、アセトニトリル、１，３−ブタンジオール、１，４−ブタンジオール、酪酸、ジエタノールアミン、２−ブトキシエタノール、ジエチレントリアミン、Ｎ，Ｎ−ジメチルホルムアミド、ジメチルエーテル、１，４−ジオキサン、エチレングリコール、ギ酸、フルフリルアルコール、グリセリン、メタノール、メチルジエタノールアミン、１−プロパノール、２−プロパノール、１，３−プロパンジオール、１，５−ペンタンジオール、プロピオン酸、プロピレングリコール、ピリジン、テトラヒドロフラン、トリエチレングリコールを用いることができる。また、前記した物質のうち複数を混合してもよい。
【００２４】
なお、前記した物質のうちメチルアミンは、１ａｔｍにおける沸点（標準沸点）が−６℃である。したがって、貧溶媒としてメチルアミンを用いる場合には、貧溶媒反応部２０内の圧力を高め、常温下でメチルアミンが気化しないようにする。
【００２５】
第一貯留槽２１に希釈ドロー液及び貧溶媒が供給されると、ドロー液の塩が結晶等の固形物として析出する。その反応速度は非常に速く、塩の析出に要する時間は、例えば、数秒である。希釈ドロー液に添加する貧溶媒の種類や添加率にもよるが、貧溶媒の添加によって、希釈ドロー液に含まれる塩の略全てを析出させることができる。このようにして析出した塩は、第一貯留槽２１内で沈降する。
【００２６】
以下では、希釈ドロー液に含まれる水で希釈された貧溶媒を「希釈貧溶媒」と記す。
分離部３０は、貧溶媒反応部２０において析出したドロー液の塩と、希釈貧溶媒と、を含む混合液からドロー液の塩を分離する機能を有している（分離工程）。分離部３０は、ポンプ６２が設置された配管ｋ６を介して第一貯留槽２１の下部に接続されている。そして、ポンプ６２が駆動することで、希釈貧溶媒及びドロー液の塩を含む混合液が、配管ｋ６を介して分離部３０に供給されるようになっている。
【００２７】
分離部３０として、例えば、サイクロン（粉体分離器）、遠心分離装置、沈殿装置を用いることができる。また、分離部３０として、ＭＦ膜（Microfiltration Membrane）、ＵＦ膜（Ultrafiltration Membrane）、ＮＦ膜（Nanofiltration Membrane）を用いてもよい。また、前記した各機器及び膜を複数組み合わせてもよい。また、遠心脱水装置（図示せず）、フィルタプレス装置（図示せず）等を用いて脱水し、ドロー液の塩を粉状にしてもよい。
【００２８】
分離部３０において分離されたドロー液の塩は、配管ｋ７を介してドロー液供給部４０に供給される。分離部３０において分離された希釈貧溶媒は、配管ｋ８を介して貧溶媒回収部５０に供給される。
なお、ドロー液供給部４０に供給されるドロー液の塩は、乾燥状態（粉状）ある必要はなく、希釈貧溶媒が混在したスラリー状でもよい。なぜなら、ドロー液の塩に希釈貧溶媒が含まれていたとしても、この希釈貧溶媒は、配管ｋ２、正浸透膜モジュール１０の二次側１ｂ、及び配管ｋ４を介して貧溶媒反応部２０に還流し、系外には排出されないからである。
つまり、ドロー液の塩に貧溶媒が混在していても支障はなく、ドロー液の塩の回収率のみを考慮して、貧溶媒の添加量を調整したり、分離部３０の機種を選定したりすればよい。したがって、分離部３０を選定する際の自由度が高くなり、設備コストを軽減できる。
【００２９】
ドロー液供給部４０は、分離部３０によって分離されたドロー液の塩と、正浸透膜モジュール１０の二次側１ｂから供給される希釈ドロー液と、を混合してなるドロー液を、正浸透膜モジュール１０の二次側１ｂに戻す機能を有している（ドロー液供給工程）。
【００３０】
ドロー液供給部４０は、希釈ドロー液、及びドロー液の塩を含む混合液を一時的に貯留する第二貯留槽４１と、前記した混合液を撹拌する撹拌機４２と、を備えている。第二貯留槽４１には、配管ｋ４（一部）及び配管ｋ５を介して正浸透膜モジュール１０の二次側１ｂから希釈ドロー液が供給されるとともに、配管ｋ７を介して分離部３０からドロー液の塩が供給される。
【００３１】
前記した混合液（希釈ドロー液＋ドロー液の塩）を撹拌機４２で撹拌することによって、ドロー液の塩が希釈ドロー液に溶け込む。これによって、第二貯留槽４１内のドロー液を所定濃度（つまり、設定した浸透圧）で維持するようになっている。なお、第二貯留槽４１内のドロー液は、ポンプ６１の駆動によって、配管ｋ２を介して正浸透膜モジュール１０の二次側１ｂに供給される。
【００３２】
貧溶媒回収部５０は、分離部３０から供給される希釈貧溶媒から貧溶媒を分離して淡水を得るとともに、分離した貧溶媒を貧溶媒反応部２０に戻す機能を有している（貧溶媒回収工程）。貧溶媒回収部５０は、希釈貧溶媒を一時的に貯留する第三貯留槽５１と、希釈貧溶媒を加熱する加熱手段５２と、を備えている。前記した加熱手段５２として、ボイラ、電熱器等を用いることができる。
【００３３】
前記したように、希釈貧溶媒に含まれる貧溶媒は、水よりも沸点が低い。したがって、加熱手段５２によって希釈貧溶媒が加熱されると、水の沸点に達する前に貧溶媒が気化する。なお、第三貯留槽５１に貯留されている希釈貧溶媒の温度は、貧溶媒の沸点よりも高く、かつ、水の沸点よりも低い温度で維持されている。
このように水よりも低沸点の貧溶媒を用いるため、小さなエネルギで、希釈貧溶媒から貧溶媒を回収できる（つまり、淡水を取りだすことができる）。したがって、淡水化システムＳの運転コストを軽減できる。
【００３４】
第三貯留槽５１において気化した貧溶媒は、ポンプ６３の駆動によって、配管ｋ９を介して貧溶媒反応部２０に向かう。ちなみに、図１では図示を省略したが、配管ｋ９には、気化した貧溶媒を冷やす熱交換器（コンデンサ）が設置されている。この熱交換器において貧溶媒が凝縮し、凝縮した貧溶媒が配管ｋ９を介して貧溶媒反応部２０に供給される。
【００３５】
なお、第三貯留槽５１内の希釈貧溶媒が１００℃未満で維持されていた場合でも、希釈貧溶媒に含まれる水分が貧溶媒とともに共沸し、配管ｋ９を介して水分を含む貧溶媒が貧溶媒反応部２０に流入する可能性がある。この場合、貧溶媒反応部２０に流入した水は、配管ｋ６、分離部３０、及び配管ｋ８を介して貧溶媒回収部５０に還流する。
つまり、貧溶媒に水が混在していても支障はないため、第三貯留槽５１内の希釈貧溶媒から略１００％の回収率で貧溶媒が回収できるように、希釈貧溶媒の温度等を設定すればよい。
【００３６】
また、前記したように、ドロー液の塩の貧溶媒に対する溶解度は低い。したがって、貧溶媒とともに水が共沸し、配管ｋ９を介して貧溶媒反応部２０に水分が流入したとしても、貧溶媒の濃度が十分であれば、貧溶媒反応部２０での塩の析出に支障が生ずるおそれはない。貧溶媒反応部２０において、貧溶媒に溶け込む塩はわずかだからである。
【００３７】
また、貧溶媒回収部５０に供給される希釈貧溶媒には、ドロー液の塩は混在していない。なぜなら、分離部３０においてドロー液の塩が略全て分離され、分離されたドロー液の塩がドロー液供給部４０に供給される（つまり、貧溶媒回収部５０には流入しない）からである。さらに、第三貯留槽５１内の希釈貧溶媒からは、貧溶媒と水との沸点の違いによって略１００％の貧溶媒が気化する。したがって、本実施形態によれば、第三貯留槽５１の底部から純度の高い淡水を得ることができる。この淡水は、配管ｋ１０を介して貯水槽（図示せず）に供給される。
【００３８】
＜効果＞
本実施形態では、希釈ドロー液に貧溶媒を添加してドロー液の塩を析出させる貧溶媒添加法を用いている。ドロー液の塩は、貧溶媒への溶解度が低い無機化合物の塩であるから、貧溶媒の添加によって、希釈ドロー液に含まれる塩を高い回収率で回収できる。したがって、ドロー液供給部４０に貯留されているドロー液を高い濃度（つまり、浸透圧）で維持できる。つまり、一次側１ａと二次側１ｂとの浸透圧の差が小さくなることを抑制し、ひいては、正浸透膜１２における透過流束（Ｆｌｕｘ）を高い値で維持できる。
また、ドロー液が系外に排出されることはほとんどないため、ドロー液を補充する必要はない。したがって、淡水化システムＳの運転コストを軽減できる。
【００３９】
また、分離部３０において分離されたドロー液の塩に貧溶媒が混在していたとしても、この貧溶媒は系外に排出されることなく貧溶媒反応部２０に還流する。さらに、貧溶媒回収部５０では、水との沸点の違いによって略１００％の貧溶媒が気化し、熱交換器（図示せず）で凝縮した貧溶媒が貧溶媒反応部２０に供給される。つまり、貧溶媒が系外に排出されることはほとんどない。したがって、貧溶媒を補充する必要はほとんどなく、淡水化システムＳの運転コストを軽減できる。
【００４０】
また、本実施形態では、希釈ドロー液の濃度を回復する工程を貧溶媒反応部２０及び分離部３０で行い、希釈貧溶媒から淡水を得る工程を貧溶媒回収部５０で行っている。従来行われていたように、仮に、ドロー液の濃度の回復と、淡水の回収と、を一つの工程で行うと、淡水にドロー液が残存したり、ドロー液の濃度の低下を招いたりする可能性が高くなる。
【００４１】
これに対して本実施形態では、前記したように、ドロー液の濃度の回復と、淡水の回収と、が別々の工程で行われる。さらに、貧溶媒回収部５０では、略１００％の貧溶媒が気化して水から分離される。したがって、ドロー液及び貧溶媒を系内で循環させつつ、不純物がほとんど残存していない淡水を得ることができる。このように、本実施形態によれば、飲料水としてそのまま使える程度に高純度の淡水を容易に得ることができる。
【００４２】
また、本実施形態では、水よりも低沸点の貧溶媒を用いている。貧溶媒は有機溶剤であるから、第三貯留槽５１内で貧溶媒の分子がイオン化して水分子に結合することはない。したがって、比較的低い温度で貧溶媒を気化させることができるため、淡水化システムＳの運転コストを大幅に軽減できる。
【００４３】
≪変形例≫
以上、本発明に係る淡水化システムＳについて実施形態により説明したが、本発明はこれらの記載に限定されるものではなく、種々の変更を行うことができる。
例えば、実施形態では、貧溶媒回収部５０において希釈貧溶媒を加熱することで、貧溶媒を気化させる構成について説明したが、これに限らない。すなわち、前記した加熱に代えて、減圧を行うことで貧溶媒を気化させてもよい。この場合、貧溶媒回収部５０は、「減圧手段」（図示せず）を備え、この減圧手段によって第三貯留槽５１内を減圧する。減圧によって貧溶媒の沸点が下がるため、その種類によっては常温でも貧溶媒を気化させることができる。
【００４４】
なお、前記した加熱手段５２（図１参照）と減圧手段（図示せず）とを併用し、減圧手段によって第三貯留槽５１内を減圧した上で、貧溶媒が気化する所定温度まで加熱手段５２によって加熱するようにしてもよい。
【００４５】
また、前記した加熱及び／又は減圧によって貧溶媒を気化させる工程に代えて（つまり、加熱手段５２及び減圧手段を省略し）、第三貯留槽５１に貯留されている希釈貧溶媒から貧溶媒を膜濾過するようにしてもよい。この場合、貧溶媒回収部５０は、膜濾過によって貧溶媒を回収する「濾過手段」（図示せず）を備えている。この濾過手段として、例えば、ＮＦ膜（Nanofiltration Membrane）、ＲＯ膜（Reverse Osmosis Membrane）を用いることができる。ちなみに、膜濾過によって貧溶媒を分離する場合には、水よりも高い沸点の貧溶媒を用いてもよい。
【００４６】
前記した濾過手段（図示せず）は、配管ｋ９においてポンプ６３の下流側に設置され、ポンプ６３によって吸い込まれた液状の希釈貧溶媒を膜濾過する。膜濾過によって得られる貧溶媒は、配管ｋ９を介して貧溶媒反応部２０に戻される。一方、膜濾過によって得られる淡水は、配管（図示せず）を介して貯水槽（図示せず）に供給される。
【００４７】
また、実施形態で説明した淡水化システムＳよりもさらに高純度の淡水が得られるように、配管ｋ１０に貧溶媒分離部（図示せず）を設けてもよい。
この貧溶媒分離部は、前記した濾過手段と同様の構成（ＮＦ膜、ＲＯ膜等）を備えている。つまり、加熱及び／又は減圧によって希釈貧溶媒から分離された淡水を、貧溶媒分離部に流入させて膜濾過する。
【００４８】
貧溶媒分離部（図示せず）によって取り出された貧溶媒は、配管（図示せず）を介して貧溶媒反応部２０に供給され、再利用される。一方、貧溶媒分離部によって分離された淡水は、配管ｋ１０を介して貯水槽（図示せず）に供給される。これによって、前記した淡水にわずかに貧溶媒が含まれていたとしても、この貧溶媒を略完全に除去して高純度の淡水を得ることができる。
【符号の説明】
【００４９】
Ｓ  淡水化システム
１０  正浸透膜モジュール
１ａ  一次側
１ｂ  二次側
１１  容器
１２  正浸透膜
２０  貧溶媒反応部
３０  分離部
４０  ドロー液供給部
４２  撹拌機
５０  貧溶媒回収部
５２  加熱手段
【図１】
0006463620.tif 000002